(57)【要約】【課題】  電子機器において、フルスクリーン時の動画像の表示と、複数のウインドウを表示する際の動画像の表示を切り替え表示し、ユーザの利便性を向上させることが課題になっていた。【解決手段】  実施形態の電子機器は、第１の大きさの映像を第１の画質で映像表示部に表示するよう処理する第１の処理部を備える。  また、前記映像をウインドウ表示する指示の受信を検出する検出部を備える。  また、前記指示を受信した場合に、前記第１の大きさより小さい前記映像を、前記第１の画質より目立たない第２の画質で前記映像表示部に表示するよう切り替え処理する第２の処理部を備える。【選択図】  図３
2013235462.tif 000002
【特許請求の範囲】
【請求項１】
第１の大きさの映像を第１の画質で映像表示部に表示するよう処理する第１の処理部と、
前記映像をウインドウ表示する指示の受信を検出する検出部と、
前記指示を受信した場合に、前記第１の大きさより小さい前記映像を、前記第１の画質より目立たない第２の画質で前記映像表示部に表示するよう切り替え処理する第２の処理部を備える電子機器。
【請求項２】
前記映像を他の表示と重ねてウインドウ表示する指示を受信した場合に、前記映像が最前面の場合は前記映像を第３の画質で表示し、前記映像が最前面ではない場合は前記第３の画質より目立たない第４の画質で表示する請求項１に記載の電子機器。
【請求項３】
前記映像をウインドウ表示する指示を受信した場合に、前記映像の表示面積は設定値より大きいかを検出し、前記設定値より大きい場合は前記映像を第５の画質で表示し、前記設定値より大きくない場合は前記第５の画質より目立たない第６の画質で表示する請求項１に記載の電子機器。
【請求項４】
前記映像と他の表示をウインドウ表示する指示を受信した場合に、前記他の表示が目立つ表示を含む場合は前記映像を第７の画質で表示し、前記他の表示が目立つ表示を実質的に含まない場合は前記第７の画質より目立たない第８の画質で表示する請求項１に記載の電子機器。
【請求項５】
前記第１の画質と、前記第３の画質または前記第５の画質または前記第７の画質は実質的に同じ画質である請求項２乃至４のいずれか１つに記載の電子機器。
【請求項６】
前記第１の画質と、前記第３の画質または前記第５の画質または前記第７の画質は実質的に異なる画質である請求項２乃至４のいずれか１つに記載の電子機器。
【請求項７】
第１の大きさの映像を第１の画質で映像表示部に表示するよう処理するステップと、
前記映像をウインドウ表示する指示の受信を検出するステップと、
前記指示を受信した場合に、前記第１の大きさより小さい前記映像を、前記第１の画質より目立たない第２の画質で前記映像表示部に表示するよう切り替え処理するステップを備える電子機器の制御方法。
【請求項８】
第１の大きさの映像を第１の画質で映像表示部に表示するよう処理するステップと、
前記映像をウインドウ表示する指示の受信を検出するステップと、
前記指示を受信した場合に、前記第１の大きさより小さい前記映像を、前記第１の画質より目立たない第２の画質で前記映像表示部に表示するよう切り替え処理するステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、例えば、テレビ等で放送される番組映像を、パーソナルコンピュータ（ＰＣ）等の電子機器の表示部に表示し、視聴することが行なわれている。
【０００３】
また、例えば、フルスクリーン時の動画像を高画質で表示する技術や、複数のウインドウを表示する際に、ウインドウが重なった場合に、動画像が見えている領域に対して画質向上効果を適用する技術が開示されている。
【０００４】
しかし、フルスクリーン時の動画像の表示と、複数のウインドウを表示する際の動画像の表示を、電子機器の表示部に、同じ高画質で表示すると、例えば、上記複数のウインドウのいずれかに表示された高画質表示の動画像が他のウインドウ表示を目立たなくし、他のウインドウ表示の視認の妨げになる場合があった。
【０００５】
このため、電子機器において、フルスクリーン時の動画像の表示と、複数のウインドウを表示する際の動画像の表示を切り替え表示し、ユーザの利便性を向上させることが課題になっていた。
【先行技術文献】
【特許文献】
【０００６】
【特許文献１】特開２００５−３３８１８４号公報
【特許文献２】特開２００２−００６８２９号公報
【発明の概要】
【発明が解決しようとする課題】
【０００７】
電子機器において、フルスクリーン時の動画像の表示と、複数のウインドウを表示する際の動画像の表示を切り替え表示し、ユーザの利便性を向上させることが課題になっていた。
【課題を解決するための手段】
【０００８】
実施形態の電子機器は、第１の大きさの映像を第１の画質で映像表示部に表示するよう処理する第１の処理部を備える。
【０００９】
また、前記映像をウインドウ表示する指示の受信を検出する検出部を備える。
【００１０】
また、前記指示を受信した場合に、前記第１の大きさより小さい前記映像を、前記第１の画質より目立たない第２の画質で前記映像表示部に表示するよう切り替え処理する第２の処理部を備える。
【図面の簡単な説明】
【００１１】
【図１】実施形態に係わる電子機器の外観を示す図。
【図２】実施形態に係わる電子機器の構成を示すブロック図。
【図３】実施形態に係わる電子機器の映像表示部に表示される映像の表示例を示す図。
【図４】実施形態に係わる電子機器の動作を説明するフローチャート。
【図５】他の実施形態に係わる電子機器の映像表示部に表示される映像の表示例を示す図。
【図６】他の実施形態に係わる電子機器の動作を説明するフローチャート。
【図７】他の実施形態に係わる電子機器の映像表示部に表示される映像の表示例を示す図。
【図８】他の実施形態に係わる電子機器の動作を説明するフローチャート。
【図９】他の実施形態に係わる電子機器の映像表示部に表示される映像の表示例を示す図。
【図１０】他の実施形態に係わる電子機器の動作を説明するフローチャート。
【発明を実施するための形態】
【００１２】
以下、図面を参照し、実施の形態を説明する。
【００１３】
図１は、実施形態に係わる電子機器の外観を示す図である。
【００１４】
ここでは、電子機器３１は、例えばノートブックタイプのパーソナルコンピュータ（ノートＰＣ、またはＰＣ）として実現されている。
【００１５】
なお、この実施形態の電子機器３１は、パーソナルコンピュータに限られず、タブレット型ＰＣや携帯電話、携帯型の電子機器、あるいはテレビ等に適用することも可能である。
【００１６】
ここでは、電子機器３１の一例として、パーソナルコンピュータを用いて説明を行う。
【００１７】
電子機器３１は、例えば、コンピュータ（ノートＰＣ）本体１１と、映像表示部１２とから構成されている。映像表示部１２には、例えば、ＬＣＤ（ｌｉｑｕｉｄ  ｃｒｙｓｔａｌ  ｄｉｓｐｌａｙ）１７が組み込まれている。
【００１８】
映像表示部１２は、コンピュータ（ノートＰＣ）本体１１の上面が露出される開放位置とコンピュータ（ノートＰＣ）本体１１の上面を覆う閉塞位置との間を回動自在にコンピュータ（ノートＰＣ）本体１１に取り付けられている。
【００１９】
コンピュータ（ノートＰＣ）本体１１は、薄い箱形の筐体を有しており、その上面には、キーボード１３、電子機器３１を電源オン／電源オフするためのパワーボタン１４、タッチパッド１６、スピーカ１８Ａ，１８Ｂなどが配置されている。
【００２０】
また、コンピュータ（ノートＰＣ）本体１１の、例えば、右側面には、ＵＳＢ（ｕｎｉｖｅｒｓａｌ  ｓｅｒｉａｌ  ｂｕｓ）２．０規格のＵＳＢケーブルやＵＳＢデバイスを接続するためのＵＳＢコネクタ１９が設けられている。
【００２１】
さらに、コンピュータ（ノートＰＣ）本体１１の背面には、例えばＨＤＭＩ(ｈｉｇｈ−ｄｅｆｉｎｉｔｉｏｎ  ｍｕｌｔｉｍｅｄｉａ  ｉｎｔｅｒｆａｃｅ)規格に対応した外部ディスプレイ接続端子が設けられている（図示せず）。この外部ディスプレイ接続端子は、デジタル映像信号を外部ディスプレイに出力するために用いられる。
【００２２】
また、この電子機器３１は、特に図示しないが、放送番組の受信録画やメール等の自動受信、ニュースサイト等の更新確認のために、例えば、時間を設定して電子機器を自動的に起動させる。
【００２３】
図２は、実施形態に係わる電子機器の構成を示すブロック図である。
【００２４】
電子機器３１は、例えば、図２に示すように、ＣＰＵ（ｃｅｎｔｒａｌ  ｐｒｏｃｅｓｓｉｎｇ  ｕｎｉｔ）１０１、システムメモリ（メインメモリ）１０３、サウスブリッジ１０４、ＧＰＵ（Ｇｒａｐｈｉｃｓ  Ｐｒｏｃｅｓｓｉｎｇ  Ｕｎｉｔ）１０５、ＶＲＡＭ（ビデオＲＡＭ:ｒａｎｄｏｍ ａｃｃｅｓｓ ｍｅｍｏｒｙ）１０５Ａ、サウンドコントローラ１０６、ＢＩＯＳ−ＲＯＭ（ｂａｓｉｃ ｉｎｐｕｔ／ｏｕｔｐｕｔ ｓｙｓｔｅｍ−ｒｅａｄ ｏｎｌｙ ｍｅｍｏｒｙ）１０７、ＬＡＮ（ｌｏｃａｌ ａｒｅａ ｎｅｔｗｏｒｋ）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、カードスロット１１１Ｃ、無線ＬＡＮコントローラ１１２、エンベデッドコントローラ／キーボードコントローラ（ＥＣ／ＫＢＣ）１１３、ＥＥＰＲＯＭ（ｅｌｅｃｔｒｉｃａｌｌｙ ｅｒａｓａｂｌｅ ｐｒｏｇｒａｍｍａｂｌｅ ＲＯＭ）１１４等を備える。
【００２５】
ＣＰＵ（ＳＯＣ）１０１は、電子機器３１内の各部の動作を制御するプロセッサである。ＣＰＵ（ＳＯＣ）１０１は、例えば、ＳｏＣで構成される。
【００２６】
ここで、ＳｏＣの説明をする。ＳｏＣは、Ｓｙｓｔｅｍ−ｏｎ−ａ−ｃｈｉｐの略である。ＳｏＣは１つの半導体チップ上に、必要な機能（システム）を集積する集積回路の設計手法である。
【００２７】
例えば、マイクロコントローラに特定の装置に特化した専用機能回路を混在させたものを指すことが多い。
【００２８】
なお、ＣＰＵ（ＳＯＣ）１０１は、電力を集中して使用するため、比較的発熱量が大きく、熱を持ちやすい。
【００２９】
ＣＰＵ（ＳＯＣ）１０１は、ＢＩＯＳ−ＲＯＭ１０７に格納されたＢＩＯＳを実行する。ＢＩＯＳは、ハードウェア制御のためのプログラムである。ＣＰＵ（ＳＯＣ）１０１には、システムメモリ（メインメモリ）１０３をアクセス制御するメモリコントローラも内蔵されている。また、例えば、ＰＣＩ ＥＸＰＲＥＳＳ規格のシリアルバスなどを介してＧＰＵ１０５との通信を実行する機能も有している。
【００３０】
ＧＰＵ１０５は、電子機器３１のディスプレイモニタとして使用されるＬＣＤ１７を制御する表示コントローラである。
【００３１】
このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ１にデジタル映像信号を送出することもできる。
【００３２】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００３３】
サウスブリッジ１０４は、ＰＣＩ（Ｐｅｒｉｐｈｅｒａｌ Ｃｏｍｐｏｎｅｎｔ Ｉｎｔｅｒｃｏｎｎｅｃｔ）バス上の各デバイス及びＬＰＣ（Ｌｏｗ Ｐｉｎ Ｃｏｕｎｔ）バス上の各デバイスを制御する。また、サウスブリッジ１０４は、ＨＤＤ１０９及びＯＤＤ１１０を制御するためのＩＤＥ（Ｉｎｔｅｇｒａｔｅｄ Ｄｒｉｖｅ Ｅｌｅｃｔｒｏｎｉｃｓ）コントローラを内蔵している。
【００３４】
さらに、サウスブリッジ１０４は、サウンドコントローラ１０６との通信を実行する機能も有している。
【００３５】
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばＩＥＥＥ ８０２．３規格の有線通信を実行する有線通信デバイスであり、一方、無線ＬＡＮコントローラ１１２は、例えばＩＥＥＥ ８０２．１１ｇ規格の無線通信を実行する無線通信デバイスである。ＵＳＢコントローラ１１１Ａは、例えばＵＳＢ ２．０規格に対応した外部機器との通信を実行する。
【００３６】
例えば、ＵＳＢコントローラ１１１Ａは、デジタルカメラに格納されている画像データファイルを受信するために使用される。また、カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００３７】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて電子機器３１を電源オン／電源オフする機能を有している。
【００３８】
この実施の形態における表示制御は、例えば、ＣＰＵ（ＳＯＣ）１０１がシステムメモリ（メインメモリ）１０３やＨＤＤ１０９等に記録されたプログラムを実行させることにより行われる。
【００３９】
また、この実施形態においては、ＯＳとは、Ｏｐｅｒａｔｉｎｇ  Ｓｙｓｔｅｍ（オペレーティングシステム）の略である。
【００４０】
例えば、キーボード入力や画面出力といった入出力機能やディスクやメモリの管理など、多くのアプリケーションソフトから共通して利用される基本的な機能を提供し、コンピュータシステム全体を管理するソフトウェアである。ここでは、例えば、ＨＤＤ１０９に保存されている。
【００４１】
図３は、実施形態に係わる電子機器の映像表示部に表示される映像の表示例を示す図である。
【００４２】
例えば、電子機器（ＰＣ）３１上で実現されるＴＶアプリケーション（例えば、デジタル放送やＩＰ通信等で放送されるような放送番組）では、全画面にＴＶ表示を行う全画面表示モードと、ウェブブラウザ等を表示しながら、同時にＴＶ番組も視聴できるようにするウインドウ表示モードがある。
【００４３】
そして、上記全画面表示モードで表示を行う場合には、例えば、高画質表示を行い、目立つようにする。この高画質表示は、例えば、映像表示部１７を構成するＬＣＤパネル１７の性能に応じ、明るく鮮やかな画面となるように画像補正パラメータを調整しても良い。
【００４４】
また一方、ウインドウ表示モードには、上記高画質表示に比べ、目立たないようにする。このとき、あまり明るくなく、鮮やかでない、例えば、地味な画像補正パラメータを適用し、他のウインドウ等に邪魔にならないような画像補正を行っても良い。
【００４５】
また、このウインドウ表示モードにおいて、明るさを押さえるかどうか等は、ユーザが指定できるようにしても良い。
【００４６】
そして、ここでは、「Ｖｉｄｅｏ（映像）」とは、例えば、デジタル放送やＩＰ通信等で放送されるような放送番組等の映像である。
【００４７】
ここでは、例えば、映像表示部１７への、全画面映像表示（第１の大きさの映像表示）と全画面より小さい映像表示（第２の大きさの映像表示）に応じ、画質を切り替えて表示を行う。
【００４８】
図３（ａ）は、例えば、映像表示部１７に、全画面表示等の第１の大きさの映像を表示するようすを示している。このとき、映像表示部１７への第１の大きさの映像表示は、高画質等の目立たせるような第１の画質で表示する。
【００４９】
ここでは、この第１の大きさの映像３１ａは、例えば、「鮮やか＝７０」、「明るさ＝１００」のパラメータになっている。
【００５０】
また、図３（ｂ）は、例えば、映像表示部１７に、上記全画面より小さい第２の大きさの映像を表示するようすを示している。このとき、映像表示部１７への第２の大きさの映像表示は、目立たせないように、第２の画質（第１の画質より低画質または目立たない表示）で表示する。
【００５１】
ここでは、上記全画面より小さいこの第２の大きさの映像３１ｂは、例えば、「鮮やか＝１０」、「明るさ＝５０」のパラメータになっている。
【００５２】
また、ここでは、「Ｔｅｘｔ（文章）」３２がウインドウ表示され、第２の大きさの映像３１ｂは、「Ｔｅｘｔ（文章）」３２の表示を妨げないように、目立たせないように、第２の画質（第１の画質より低画質または目立たない表示）で表示する。
【００５３】
すなわち、この実施形態においては、電子機器３１は、例えば、図３（ａ）に示すように、第１の大きさ（全画面表示等）の映像を第１の画質で映像表示部１７に表示するように構成している。
【００５４】
また、上記映像をウインドウ表示する指示の受信を検出するように構成している。
【００５５】
また、上記指示を受信した場合に、上記第１の大きさより小さい上記映像を、上記第１の画質より目立たない第２の画質で上記映像表示部１７に表示するよう切り替え処理するように構成している。
【００５６】
図４は、実施形態に係わる電子機器の動作を説明するフローチャートである。
【００５７】
ステップＳ１００は、ここでの開始ステップである。続いて、ステップＳ１０１に進む。
【００５８】
ステップＳ１０１は、第１の大きさの映像（テレビ番組等）を、第１の画質（高画質や目立つ表示）で、表示部１７に表示するステップである。続いて、ステップＳ１０２に進む。
【００５９】
ステップＳ１０２は、上記映像のウインドウ表示指示を受信したかを検出するステップである。この映像のウインドウ表示指示は、例えば、ユーザにより、電子機器３１が操作され、指示される。映像のウインドウ表示指示を受信したと検出される場合は、ステップＳ１０３に進む（Ｙｅｓ）。映像のウインドウ表示指示を受信しないと検出される場合は、ステップＳ１０１に進み、上記処理を繰り返す（Ｎｏ）。
【００６０】
ステップＳ１０３は、第１の大きさより小さい映像（テレビ番組のウインドウ表示）を、第２の画質（第１の画質より低画質や目立たない表示）で、表示部１７に表示するステップである。続いて、ステップＳ１０４に進む。
【００６１】
ステップＳ１０４は、終了ステップであり、ここでの処理は終了する。
【００６２】
図５は、他の実施形態に係わる電子機器の映像表示部に表示される映像の表示例を示す図である。
【００６３】
ここでは、例えば、映像表示部１７への、映像（Ｖｉｄｅｏ）ウインドウ表示５１が最前面に表示されるか、最前面に表示されないかに応じ、画質を切り替えて表示を行う。
【００６４】
図５（ａ）は、例えば、映像表示部１７に、映像（Ｖｉｄｅｏ）ウインドウ表示５１が文章（Ｔｅｘｔ）ウインドウ表示５２よりも前面の、最前面に表示されているようすを示している。
【００６５】
ここでは、映像（Ｖｉｄｅｏ）ウインドウ表示５１は第３の画質で表示し、文章（Ｔｅｘｔ）ウインドウ表示５２よりも目立たせるようにする。
【００６６】
また、図５（ｂ）は、例えば、映像表示部１７に、映像（Ｖｉｄｅｏ）ウインドウ表示５１が文章（Ｔｅｘｔ）ウインドウ表示５２よりも後面に表示されているようすを示している（最前面ではない）。
【００６７】
ここでは、映像（Ｖｉｄｅｏ）ウインドウ表示５１は、図５（ａ）の映像（Ｖｉｄｅｏ）ウインドウ表示５１より目立たなくさせる第４の画質で表示する。
【００６８】
すなわち、この実施形態においては、例えば、映像（映像（Ｖｉｄｅｏ）ウインドウ表示５１）を他の表示（文章（Ｔｅｘｔ）ウインドウ表示５２）と重ねてウインドウ表示する指示を受信した場合に、上記映像（映像（Ｖｉｄｅｏ）ウインドウ表示５１）が最前面の場合は上記映像を第３の画質で表示し、上記映像（映像（Ｖｉｄｅｏ）ウインドウ表示５１）が最前面ではない場合は上記第３の画質より目立たない第４の画質で表示するように構成している。
【００６９】
図６は、他の実施形態に係わる電子機器の動作を説明するフローチャートである。
【００７０】
ステップＳ２００は、ここでの開始ステップである。続いて、ステップＳ２０１に進む。
【００７１】
ステップＳ２０１は、映像５１を他の表示５２と重ねてウインドウ表示する指示を受信するステップである。続いて、ステップＳ２０２に進む。
【００７２】
ステップＳ２０２は、映像５１は最前面表示かを判別するステップである。映像５１は最前面表示であると判別される場合は、ステップＳ２０３に進む（Ｙｅｓ）。映像５１は最前面表示ではないと判別される場合は、ステップＳ２０４に進む（Ｎｏ）。
【００７３】
ステップＳ２０３は、映像５１を第３の画質（高画質や目立つ表示）で、ウインドウ表示するステップである。続いて、ステップＳ２０５に進む。
【００７４】
ステップＳ２０４は、映像５１を第４の画質（第３の画質より低画質または目立たない表示）で、ウインドウ表示するステップである。続いて、ステップＳ２０５に進む。
【００７５】
ステップＳ２０５は、終了ステップであり、ここでの処理は終了する。
【００７６】
図７は、他の実施形態に係わる電子機器の映像表示部に表示される映像の表示例を示す図である。
【００７７】
ここでは、例えば、映像表示部１７へ表示される映像（Ｖｉｄｅｏ）ウインドウ表示７１の面積が、設定値（例えば、面積の１／４）以上か、設定値未満かに応じ、画質を切り替えて表示を行う。
【００７８】
図７（ａ）は、例えば、映像表示部１７に、映像（Ｖｉｄｅｏ）ウインドウ表示７１が、設定値（例えば、面積の１／４）以上の面積で表示されているようすを示している。
【００７９】
ここでは、映像（Ｖｉｄｅｏ）ウインドウ表示７１は第５の画質で表示し、目立たせるようにする。
【００８０】
また、図７（ｂ）は、例えば、映像表示部１７に、映像（Ｖｉｄｅｏ）ウインドウ表示７１が、設定値（例えば、面積の１／４）未満の面積で表示されているようすを示している。
【００８１】
ここでは、映像（Ｖｉｄｅｏ）ウインドウ表示７１は、図７（ａ）より目立たなくさせるように第６の画質で表示する。
【００８２】
すなわち、この実施形態においては、上記映像（Ｖｉｄｅｏ）ウインドウ表示７１をウインドウ表示する指示を受信した場合に、上記映像（Ｖｉｄｅｏ）ウインドウ表示７１の表示面積は設定値より大きいかを検出し、上記設定値より大きい場合は上記映像（Ｖｉｄｅｏ）ウインドウ表示７１を第５の画質で表示し、上記設定値より大きくない場合は上記第５の画質より目立たない第６の画質で表示するように構成している。
【００８３】
図８は、他の実施形態に係わる電子機器の動作を説明するフローチャートである。
【００８４】
ステップＳ３００は、ここでの開始ステップである。続いて、ステップＳ３０１に進む。
【００８５】
ステップＳ３０１は、映像７１をウインドウ表示する指示を受信するステップである。続いて、ステップＳ３０２に進む。
【００８６】
ステップＳ３０２は、映像７１の表示面積は設定値（例えば、表示画面１７の１／４）より大きいかを判別するステップである。映像７１の表示面積は設定値より大きいと判別される場合は、ステップＳ３０３に進む（Ｙｅｓ）。映像７１の表示面積は設定値より大きくないと判別される場合は、ステップＳ３０４に進む（Ｎｏ）。
【００８７】
ステップＳ３０３は、映像７１を第５の画質（高画質や目立つ表示）で、ウインドウ表示するステップである。続いて、ステップＳ３０５に進む。
【００８８】
ステップＳ３０４は、映像７１を第６の画質（第５の画質より低画質または目立たない表示）で、ウインドウ表示するステップである。続いて、ステップＳ３０５に進む。
【００８９】
ステップＳ３０５は、終了ステップであり、ここでの処理は終了する。
【００９０】
図９は、他の実施形態に係わる電子機器の映像表示部に表示される映像の表示例を示す図である。
【００９１】
ここでは、例えば、映像表示部１７へ表示される映像（Ｖｉｄｅｏ）ウインドウ表示９１の面積が、設定値（例えば、面積の１／４）以上か、設定値未満かに応じ、画質を切り替えて表示を行う。
【００９２】
図９（ａ）は、例えば、映像表示部１７に、映像（Ｖｉｄｅｏ）ウインドウ表示９１と他の表示９２が表示されているようすを示している。
【００９３】
ここでは、他の表示９２が、例えば、バナー広告等の目立つ表示を含んでいるため、映像（Ｖｉｄｅｏ）ウインドウ表示９１は第７の画質で表示し、目立たせるようにする。
【００９４】
また、図９（ｂ）は、例えば、映像表示部１７に、例えば、バナー広告等の目立つ表示を実質的に含んでいないため、映像（Ｖｉｄｅｏ）ウインドウ表示９１は、図９（ａ）より目立たなくさせるように第８の画質で表示する。
【００９５】
すなわち、この実施形態においては、上記映像（Ｖｉｄｅｏ）ウインドウ表示９１と他の表示９２をウインドウ表示する指示を受信した場合に、上記他の表示９２が目立つ表示を含む場合は上記映像を第７の画質で表示し、上記他の表示９２が目立つ表示を実質的に含まない場合は上記第７の画質より目立たない第８の画質で表示するように構成している。
【００９６】
図１０は、他の実施形態に係わる電子機器の動作を説明するフローチャートである。
【００９７】
ステップＳ４００は、ここでの開始ステップである。続いて、ステップＳ４０１に進む。
【００９８】
ステップＳ４０１は、映像９１と他の表示９２をウインドウ表示する指示を受信するステップである。続いて、ステップＳ４０２に進む。
【００９９】
ステップＳ４０２は、上記他の表示９２は、例えば、バナー広告等の、目立つ表示を含むかを判別するステップである。他の表示９２は、目立つ表示を含むと判別される場合は、ステップＳ４０３に進む（Ｙｅｓ）。他の表示９２は、目立つ表示を含まないと判別される場合は、ステップＳ４０４に進む（Ｎｏ）。
【０１００】
ステップＳ４０３は、映像９１を第７の画質（高画質や目立つ表示）で、ウインドウ表示するステップである。続いて、ステップＳ４０５に進む。
【０１０１】
ステップＳ４０４は、映像９１を第８の画質（第７の画質より低画質または目立たない表示）で、ウインドウ表示するステップである。続いて、ステップＳ４０５に進む。
【０１０２】
ステップＳ４０５は、終了ステップであり、ここでの処理は終了する。
【０１０３】
また、この実施形態においては、上記第１の画質と上記第３の画質、上記第１の画質と上記第５の画質、上記第１の画質と上記第７の画質は実質的に同じ画質となるように構成することも可能である。
【０１０４】
また、この実施形態においては、上記第１の画質と上記第３の画質、上記第１の画質と上記第５の画質、上記第１の画質と上記第７の画質は実質的に異なる画質となるように構成することも可能である。
【０１０５】
また、上記のような、目立たないような画質処理をした表示に切り替えるかどうかは、上記のように、ウインドウモードをトリガにしたり、ウインドウの上下関係（最前面にあるかどうか）や、ウインドウサイズで判別したりしても良い。
【０１０６】
また、目立たないような画質処理をした表示の度合いは、例えば、他のアプリの表示色数やフラッシュ表示の書き換え間隔を監視し、動的に変更するように構成しても良い。
【０１０７】
上記のように構成することによって、この実施形態においては、電子機器において、フルスクリーン時の動画像の表示と、複数のウインドウを表示する際の動画像の表示を切り替え表示し、ユーザの利便性を向上させることが可能になる。
【０１０８】
また、上記のように、目立たないような画質処理をした表示を行うことにより、電子機器３１の処理負担を軽減することが可能になる。
【０１０９】
また、上記のように構成することによって、例えば、作業をしながら放送番組を視聴する、いわゆる、「ながら見」をする場合でも、作業の妨害を低減することが可能になる。
【０１１０】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１１１】
なお、上記実施形態は、記述そのものに限定されるものではなく、実施段階では、その趣旨を逸脱しない範囲で、構成要素を種々変形して具体化することが可能である。
【０１１２】
また、上記実施形態に開示されている複数の構成要素の適宜な組み合せにより種々の発明を形成できる。
【０１１３】
例えば、実施形態に示される全構成要素から幾つかの構成要素を削除してもよい。更に、異なる実施形態に亘る構成要素を適宜組み合せてもよい。
【符号の説明】
【０１１４】
１７…映像表示部、３１…電子機器（ＰＣ）、１０１…ＣＰＵ。
【図１】
2013235462.tif 000003
【図２】
2013235462.tif 000004
【図３】
2013235462.tif 000005
【図４】
2013235462.tif 000006
【図５】
2013235462.tif 000007
【図６】
2013235462.tif 000008
【図７】
2013235462.tif 000009
【図８】
2013235462.tif 000010
【図９】
2013235462.tif 000011
【図１０】
2013235462.tif 000012